【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
第１のタッチパネルと、
表示状態では発光し、非表示状態では透明となる複数の画素からなり、入力される画像データに応じて画素毎に発光状態が変更される発光パネルと、
画素毎に光の透過率が調節される液晶パネルと、
第２のタッチパネルと、
がこの順に重ね合わされ、第１のタッチパネルを第１面とし、第２のタッチパネルを第２面とし、第１面及び第２面の両方からタッチ操作を行うことが可能な表示装置であって、
前記発光パネルに表示するための表示データを生成する表示データ生成部と、
前記表示データが第１面又は第２面のいずれの側からのタッチ操作が想定されるかに応じて、当該表示データが表示される発光パネルの領域に対応する液晶パネルの領域の透過率を制御する透過率制御部と、
を備える表示装置。
【請求項２】
前記透過率制御部は、
第２面からのタッチ操作が想定される表示データが表示される発光パネルの領域に対応する液晶パネルの領域の透過率を、
第１面からのタッチ操作が想定される表示データが表示される発光パネルの領域に対応する液晶パネルの領域の透過率よりも、高くする請求項１に記載の表示装置。
【請求項３】
前記透過率制御部は、
第１面及び第２面のいずれからのタッチ操作も想定されない表示データが表示される発光パネルの領域に対応する液晶パネルの領域の透過率を所定の透過率とし、
第１面からのタッチ操作が想定される表示データが表示される発光パネルの領域に対応する液晶パネルの領域の透過率を前記所定の透過率より低くし、
第２面からのタッチ操作が想定される表示データが表示される発光パネルの領域に対応する液晶パネルの領域の透過率を前記所定の透過率より高くする請求項１又は２に記載の表示装置。
【請求項４】
前記透過率制御部は、第１面及び第２面の両方からのタッチ操作が想定される表示データが表示される発光パネルの領域に対応する液晶パネルの領域の透過率を所定の透過率と
する請求項１〜３のいずれか１項に記載の表示装置。
【請求項５】
前記表示データ生成部は、前記表示データ毎に、その表示データが第１面、第２面、若しくはその両方のいずれの側からのタッチ操作が想定される表示データであるか、又は、その表示データがタッチ操作の対象ではないか、を示すタッチ操作面の情報を対応付け、
前記透過率制御部は、前記表示データに対応付けられたタッチ操作面に応じて、当該表示データが表示される発光パネルの領域に対応する液晶パネルの領域の透過率を制御する請求項１〜４のいずれか１項に記載の表示装置。 
【請求項６】
前記透過率制御部は、タッチ操作面と液晶パネルの透過率との予め定められた対応関係に基づいて、前記表示データに対応付けられたタッチ操作面に応じた透過率で当該表示データが表示される発光パネルの領域に対応する液晶パネルの領域の透過率を制御する請求項５に記載の表示装置。
【請求項７】
前記表示データ生成部は、前記表示データに対して前回タッチ操作が行われた面に基づいて当該表示データに対応付けるタッチ操作面を決定する請求項５又は６に記載の表示装置。
【請求項８】
前記表示データ生成部は、前記表示データに対して一定時間以上タッチ操作が行われなかった場合、その表示データに対し、タッチ操作の対象ではないことを示すタッチ操作面の情報を対応付ける請求項５〜７のいずれか１項に記載の表示装置。
【請求項９】
前記透過率制御部は、前記発光パネルを分割する複数の分割領域の各々と、各分割領域に表示データが表示された場合に当該表示データに適用するタッチ操作面と、の予め定められた対応関係に基づいて、前記表示データが属する分割領域に対応付けられたタッチ操作面に応じて、当該表示データが表示される発光パネルの領域に対応する液晶パネルの領域の透過率を制御する請求項１〜８のいずれか１項に記載の表示装置。
【請求項１０】
前記表示データは、複数のアイコンを含み、
前記透過率制御部は、各アイコンが第１面又は第２面のいずれの側からのタッチ操作が想定されるかに応じて、当該アイコンが表示される発光パネルの領域に対応する液晶パネルの領域の透過率を制御する請求項１〜９のいずれか１項に記載の表示装置。
【請求項１１】
第１のタッチパネルと、
表示状態では発光し、非表示状態では透明となる複数の画素からなり、入力される画像データに応じて画素毎に発光状態が変更される発光パネルと、
画素毎に光の透過率が調節される液晶パネルと、
第２のタッチパネルと、
がこの順に重ね合わされ、第１のタッチパネルを第１面とし、第２のタッチパネルを第２面とし、第１面及び第２面の両方からタッチ操作を行うことが可能な表示装置の制御方法であって、
前記発光パネルに表示するための表示データを生成する表示データ生成工程と、
前記表示データが第１面又は第２面のいずれの側からのタッチ操作が想定されるかに応じて、当該表示データが表示される発光パネルの領域に対応する液晶パネルの領域の透過率を制御する透過率制御工程と、
を有する表示装置の制御方法。
【請求項１２】
前記透過率制御工程では、
第２面からのタッチ操作が想定される表示データが表示される発光パネルの領域に対応する液晶パネルの領域の透過率を、
第１面からのタッチ操作が想定される表示データが表示される発光パネルの領域に対応する液晶パネルの領域の透過率よりも、高くする請求項１１に記載の表示装置の制御方法。
【請求項１３】
前記透過率制御工程では、
第１面及び第２面のいずれからのタッチ操作も想定されない表示データが表示される発光パネルの領域に対応する液晶パネルの領域の透過率を所定の透過率とし、
第１面からのタッチ操作が想定される表示データが表示される発光パネルの領域に対応する液晶パネルの領域の透過率を前記所定の透過率より低くし、
第２面からのタッチ操作が想定される表示データが表示される発光パネルの領域に対応する液晶パネルの領域の透過率を前記所定の透過率より高くする請求項１１又は１２に記載の表示装置の制御方法。
【請求項１４】
前記透過率制御工程では、第１面及び第２面の両方からのタッチ操作が想定される表示データが表示される発光パネルの領域に対応する液晶パネルの領域の透過率を所定の透過率とする請求項１１〜１３のいずれか１項に記載の表示装置の制御方法。
【請求項１５】
前記表示データ生成工程では、前記表示データ毎に、その表示データが第１面、第２面、若しくはその両方のいずれの側からのタッチ操作が想定される表示データであるか、又は、その表示データがタッチ操作の対象ではないか、を示すタッチ操作面の情報を対応付け、
前記透過率制御工程では、前記表示データに対応付けられたタッチ操作面に応じて、当該表示データが表示される発光パネルの領域に対応する液晶パネルの領域の透過率を制御する請求項１１〜１４のいずれか１項に記載の表示装置の制御方法。
【請求項１６】
前記透過率制御工程では、タッチ操作面と液晶パネルの透過率との予め定められた対応関係に基づいて、前記表示データに対応付けられたタッチ操作面に応じた透過率で当該表示データが表示される発光パネルの領域に対応する液晶パネルの領域の透過率を制御する請求項１５に記載の表示装置の制御方法。
【請求項１７】
前記表示データ生成工程では、前記表示データに対して前回タッチ操作が行われた面に基づいて当該表示データに対応付けるタッチ操作面を決定する請求項１５又は１６に記載の表示装置の制御方法。
【請求項１８】
前記表示データ生成工程では、前記表示データに対して一定時間以上タッチ操作が行われなかった場合、その表示データに対し、タッチ操作の対象ではないことを示すタッチ操作面の情報を対応付ける請求項１５〜１７のいずれか１項に記載の表示装置の制御方法。
【請求項１９】
前記透過率制御工程では、前記発光パネルを分割する複数の分割領域の各々と、各分割領域に表示データが表示された場合に当該表示データに適用するタッチ操作面と、の予め定められた対応関係に基づいて、前記表示データが属する分割領域に対応付けられたタッチ操作面に応じて、当該表示データが表示される発光パネルの領域に対応する液晶パネルの領域の透過率を制御する請求項１１〜１８のいずれか１項に記載の表示装置の制御方法。
【請求項２０】
前記表示データは、複数のアイコンを含み、
前記透過率制御工程では、各アイコンが第１面又は第２面のいずれの側からのタッチ操作が想定されるかに応じて、当該アイコンが表示される発光パネルの領域に対応する液晶パネルの領域の透過率を制御する請求項１１〜１９のいずれか１項に記載の表示装置の制御方法。
【手続補正２】
【補正対象書類名】明細書
【補正対象項目名】００１０
【補正方法】変更
【補正の内容】
【００１０】
本発明は、第１のタッチパネルと、表示状態では発光し、非表示状態では透明となる複数の画素からなり、入力される画像データに応じて画素毎に発光状態が変更される発光パネルと、画素毎に光の透過率が調節される液晶パネルと、第２のタッチパネルと、がこの順に重ね合わされ、第１のタッチパネルを第１面とし、第２のタッチパネルを第２面とし、第１面及び第２面の両方からタッチ操作を行うことが可能な表示装置であって、前記発光パネルに表示するための表示データを生成する表示データ生成部と、前記表示データが第１面又は第２面のいずれの側からのタッチ操作が想定されるかに応じて、当該表示データが表示される発光パネルの領域に対応する液晶パネルの領域の透過率を制御する透過率制御部と、を備える表示装置である。
【手続補正３】
【補正対象書類名】明細書
【補正対象項目名】００１１
【補正方法】変更
【補正の内容】
【００１１】
本発明は、第１のタッチパネルと、表示状態では発光し、非表示状態では透明となる複数の画素からなり、入力される画像データに応じて画素毎に発光状態が変更される発光パネルと、画素毎に光の透過率が調節される液晶パネルと、第２のタッチパネルと、がこの順に重ね合わされ、第１のタッチパネルを第１面とし、第２のタッチパネルを第２面とし、第１面及び第２面の両方からタッチ操作を行うことが可能な表示装置の制御方法であって、前記発光パネルに表示するための表示データを生成する表示データ生成工程と、前記表示データが第１面又は第２面のいずれの側からのタッチ操作が想定されるかに応じて、当該表示データが表示される発光パネルの領域に対応する液晶パネルの領域の透過率を制御する透過率制御工程と、を有する表示装置の制御方法である。